(57)【要約】【課題】不要なインクの噴射を抑止して紙幣収納カセットおよびそれを装着した自動取引装置の故障を低減させ、また、本来使用することができる紙幣にインクを噴射することを防止し、さらに、インクを無駄にしない紙幣収納カセットおよびそれを使用する自動取引装置を提供する。【解決手段】外力による衝撃等をセンサで検知し起爆部に電圧を印加して収納した紙幣にインクを噴射する紙幣収納カセットにおいて、記憶部に記憶したインク噴射抑止モードでインクの噴射を抑止する。また、外力による衝撃等をセンサで検知して収納した紙幣にインクを噴射する紙幣収納カセットを着脱可能に備える自動取引装置において、インク噴射抑止モードおよびインク噴射モードを記憶部に記憶する指令を該紙幣収納カセットに通知する。【選択図】        図６
2006099314.tif 000002
【特許請求の範囲】
【請求項１】
外力による衝撃等をセンサで検知し起爆部に電圧を印加して収納した紙幣にインクを噴射する紙幣収納カセットにおいて、
記憶部に記憶したインク噴射抑止モードでインクの噴射を抑止することを特徴とする紙幣収納カセット。
【請求項２】
請求項１の紙幣収納カセットにおいて、
前記記憶部に記憶したインク噴射抑止モードは紙幣検知センサで収納した紙幣が存在しないことを検知したときに記憶することを特徴とする紙幣収納カセット。
【請求項３】
請求項１の紙幣収納カセットにおいて、
前記記憶部に記憶したインク噴射抑止モードは通信回線を介しコンピュータ等の外部装置からの指令により記憶することを特徴とする紙幣収納カセット。
【請求項４】
外力による衝撃等をセンサで検知し起爆部に電圧を印加して収納した紙幣にインクを噴射する紙幣収納カセットにおいて、
該起爆部の電極を自動取引装置の紙幣入出金部に設けたアースに接続してインクの噴射を抑止することを特徴とする紙幣収納カセット。
【請求項５】
請求項１から請求項３または請求項４の紙幣収納カセットにおいて、
前記起爆部は搭載したバッテリを電源にしてインクを噴射することを特徴とする紙幣収納カセット。
【請求項６】
外力による衝撃等をセンサで検知して収納した紙幣にインクを噴射する紙幣収納カセットを着脱可能に備える自動取引装置において、
インク噴射抑止モードおよびインク噴射モードを記憶部に記憶する指令を該紙幣収納カセットに通知することを特徴とする自動取引装置。
【請求項７】
外力による衝撃等をセンサで検知して収納した紙幣にインクを噴射する紙幣収納カセットを着脱可能に備える自動取引装置において、
該紙幣収納カセットに設けた起爆部の電極を紙幣入出金部に設けたアースに接続することを特徴とする自動取引装置。
【発明の詳細な説明】
【技術分野】
【０００１】
本発明は、紙幣収納カセットおよびそれを使用する自動取引装置に関し、特に、外部からの衝撃等の異常を検出した時に紙幣にインクを噴射する技術に関する。
【背景技術】
【０００２】
近年、自動取引装置は利用者にとって利便性の高い場所であるコンビニエンスストア等に設置されることが多くなっている。しかし、このような場所は不特定多数の人が出入りし、深夜等には人気が少なくなることが多く利用者および設置者に対する安全対策が重要になってきている。このような状況の下、従来の自動取引装置は、外部から加えられた衝撃、熱または扉の歪を検出すると紙幣収納カセット等の金庫の中の紙幣にインクを噴射し使用不可能な状態にするものが提案されている（例えば、特許文献１参照）。
【０００３】
また、現金の運搬中等に錠や扉が不正に開放されたことを検知して紙幣にインクを噴射する現金輸送用防犯ケース（紙幣収納カセット）の紙幣汚損汚濁液噴出装置が提案されている（例えば、特許文献２参照）。
【特許文献１】特開２０００−３２２６２５号公報（段落「０００９」〜段落「００１４」、図１）
【特許文献２】特開平７−３０３５１１号公報（段落「００１５」〜段落「００２２」、図１）
【発明の開示】
【発明が解決しようとする課題】
【０００４】
しかしながら、上述した従来の技術においては、紙幣収納カセット内に外部からの衝撃や扉の不正な開放等の破壊を検知するセンサを備え、そのセンサが破壊を検知すると紙幣収納カセット内にインクを噴射するが、紙幣収納カセット内に紙幣がない場合等のインクの噴射が不要なときであってもインクを噴射してしまいインクを無駄にするだけでなく制御回路等をインクで浸してしまうため紙幣収納カセットおよびそれを装着した自動取引装置を故障させてしまうという問題がある。
【０００５】
また、紙幣収納カセットはその運搬中に破壊を検知して紙幣にインクを噴射するのが本来の目的であるが、信頼のおける銀行員や保守員等の係員が自動取引装置から取外した紙幣収納カセットに紙幣を装填または回収する作業を行っているとき等のインクの噴射が不要なときであってもセンサが誤って破壊を検知するとインクを噴射し紙幣収納カセットを故障させてしまう問題に加え、本来使用することができる紙幣を使用不可能な状態にしてしまうという問題もある。
【０００６】
本発明は、このような問題を解決することを課題とする。
【課題を解決するための手段】
【０００７】
そのため、本発明は、外力による衝撃等をセンサで検知し起爆部に電圧を印加して収納した紙幣に起爆部に電圧を印加してインクを噴射する紙幣収納カセットにおいて、記憶部に記憶したインク噴射抑止モードでインクの噴射を抑止することを特徴とする。
【発明の効果】
【０００８】
このようにした本発明は、不要なインクの噴射を抑止して紙幣収納カセットおよびそれを装着した自動取引装置の故障を低減させることができ、また、本来使用することができる紙幣にインクを噴射することを防止し、さらに、インクを無駄にしないという効果が得られる。
【発明を実施するための最良の形態】
【０００９】
以下、図面を参照して本発明による紙幣収納カセットおよび自動取引装置の実施例を説明する。
【実施例】
【００１０】
図１は第１の実施例を示す自動取引装置の外観斜視図、図２は第１の実施例を示す自動取引装置の外観背面図、図３は第１の実施例を示す自動取引装置のブロック図、図４は第１の実施例を示す紙幣入出金部の側面図、図５は第１の実施例を示す紙幣収納カセットの内部の説明図、図６は第１の実施例を示す紙幣収納カセットのブロック図、図７は第１の実施例を示すインク噴射部のブロック図である。
【００１１】
図１において、１は自動取引装置であり、顧客の操作により入出金等の取引を行なうものである。この自動取引装置１の前面に紙幣入出金口２、顧客操作表示盤３、カード挿入排出口４および通帳挿入排出口５を備えている。
図２において、２１は自動取引装置１の筐体であり、２２は開閉可能な筐体扉である。２３は係員操作表示盤であり、筐体扉２２の内面に設けられている。この係員操作表示盤２３は液晶ディスプレイ等の表示画面と係員等が表示画面のどこが押下したかを検知するタッチパネル等で構成されている。
【００１２】
図３において、３１は、紙幣入出金部であり、紙幣入出金口２から入金紙幣を受け入れ、鑑別や計数を行ない保管する。また、指定された支払い枚数の出金紙幣を計数し紙幣入出金口２から顧客に払い出す。
３２は紙幣収納カセットであり、鑑別や計数した入金紙幣を保管する紙幣入出金部３１に設けた金庫である。この紙幣収納カセット３２は紙幣入出金部３１に着脱可能に構成され、装着時は紙幣入出金部３１と相互に通信可能に接続されている。なお、紙幣収納カセット３２と紙幣入出金部３１は通信回線等の有線で接続されていてもよく、赤外線通信等の無線で通信可能に接続されていてもよいものである。
【００１３】
また、紙幣入出金部３１および紙幣入出金部３１に装着した紙幣収納カセット３２は通常の取引時は筐体２１の内部に収納されているものである。したがって、係員等が紙幣収納カセット３２を紙幣入出金部３１に着脱する場合は、筐体扉２２を開状態にして着脱操作を行なわなければならない。
３３は、顧客操作表示部であり、顧客操作表示盤３に顧客を案内および誘導する文言や絵柄等を表示する表示処理および顧客の暗証番号や取引金額等の入力処理を行なう。顧客操作表示盤３は、入力キーや顧客を案内および誘導する文言等を表示するＣＲＴや液晶ディスプレイ等の表示画面と顧客が表示画面のどこが押下したかを検知するタッチパネル等で構成されている。
【００１４】
３４は、係員操作部であり、金融機関の係員や保守員等が紙幣の残高検知や保守作業等を行なう際に情報を係員操作表示盤２３から入力したり、係員操作表示盤２３に情報を表示したりするものである。
３５は、カードリーダプリンタ部であり、顧客情報等が記録されたカードをカード挿入排出口４から受け入れ、カードの磁気ストライプ等に記録されたデータの読み出しや書き込み、および明細票への取引内容の印字等を行いカードおよび明細票をカード挿入排出口４から排出する。
【００１５】
なお、顧客情報等が記録された通帳を通帳挿入排出口５から受け入れ、通帳への取引内容の印字等および通帳の磁気ストライプ等に記録されたデータの読み出しや書き込みを行い通帳挿入排出口５から排出する図示しない通帳印字部が存在する場合あるが、この通帳挿入排出口５および通帳印字部は存在しなくてもよい。
３６は、制御部であり、紙幣入出金部３１、顧客操作表示部３３、係員操作部３４、カードリーダプリンタ部３５および通帳印字部を含めて自動取引装置１全体の動作を図示しないメモリに格納されたソフトウェアに基づいて制御する。また、この制御部３６は筐体扉２２の開閉を検知する図示しないセンサを備え、筐体扉２２が開状態または閉状態であることを紙幣入出金部３１に通知する機能を有している。また、制御部３６は図示しない通信部および通信回線３７を介して図示しないホストコンピュータと通信を行なう機能を有している。
【００１６】
図４において、４１は鑑別部であり、紙幣の真偽、金種等の鑑別および搬送異常の有無の検出を行なうとともに紙幣の計数を行なうものである。４２は紙幣搬送路であり、この紙幣搬送路４２で紙幣入出金口２、鑑別部４１およびそれぞれの紙幣収納カセット３２間が結ばれている。
図５において、５１はステージであり、紙幣収納カセット３２内に配置され、図示しない機構により上下動するようになっており、紙幣収納カセット３２に収納される紙幣５２はこのステージ５１の上に集積される。また、紙幣収納カセット３２に収納された紙幣５２は図示しない機構により一枚ずつ分離され繰り出され、紙幣搬送路４２に送り出される。なお、紙幣収納カセット３２に収納される紙幣５２はステージ５１の上にのみ存在する。
【００１７】
５３はインク噴射部であり、紙幣収納カセット３２に収納された紙幣５２にインクを噴射し、使用不可能な状態にするものである。なお、このインク噴射部５３は紙幣収納カセット３２に収納されたすべての紙幣５２にインクを噴射することができる。
５４は紙幣検知センサであり、ステージ５１の上に紙幣５２が集積されている否か、つまり、紙幣収納カセット３２の中に紙幣が存在するか否かを検知するセンサである。例えば、紙幣収納カセット３２の上部に発光部、下部に受光部を設けた光学センサ等であるがこれに限られるものでない。
【００１８】
５５は破壊検知センサであり、紙幣収納カセット３２が外力等により衝撃を受けたことおよび錠または扉の不正な開放を検知するセンサである。例えば、外部からの衝撃を感知する衝撃センサ、外部からの熱を感知する熱センサまたは外力により歪を感知する歪センサ等であるがこれに限られるものでない。
なお、紙幣収納カセット３２には図示しない錠を有する扉が設けられ、係員等がその扉を開放して紙幣をステージ５１上に装填し、また、ステージ５１上の紙幣を回収する。
【００１９】
図６において、６１は破壊検知部であり、破壊検知センサ５５により紙幣収納カセット３２に外力等が加えられたことを検知するとその信号が通知される。この破壊検知部６１はその信号により紙幣収納カセット３２が破壊等されたか否かを判断する。
６２は紙幣検知部であり、紙幣検知センサ５４によりステージ５１の上に紙幣５２が存在するか否かを検知してその信号が通知される。この紙幣検知部６２はその信号により紙幣収納カセット３２内のステージ５１上に紙幣が存在するか否かを判断する。また、紙幣が存在するか否かを判断した結果を主制御部６７へ通知する。
【００２０】
６４はバッテリであり、インク噴射部５３に接続され、紙幣５２にインクを噴射するための電源である。
６５は通信制御部であり、通信回線６６を介して紙幣入出金部３１等の外部装置に相互に通信可能に接続されている。なお、この外部装置は紙幣入出金部３１に限られずパーソナルコンピュータ等にも接続が可能である。
【００２１】
６７は主制御部であり、破壊検知部６１、紙幣検知部６２、インク噴射部５３、通信制御部６５を含めて紙幣収納カセット３２全体の動作を図示しないＣＰＵ等の演算手段および制御手段で図示しないメモリ等の記憶部に格納されたソフトウェアに基づいて制御する。
図７において、７１は起爆部であり、導線で接続されたバッテリ６４の電圧が印加されることにより爆薬からガスが発生し、そのガス圧によりインクを紙幣に噴射するものである。なお、バッテリ６４の電圧が印加されていない状態では爆薬からガスは発生せず、インクは噴射されないように構成されている。
【００２２】
７２は第１のスイッチであり、トランジスタ等からなる回路であって、バッテリ６４と起爆部７１の陽極の間に配置され、後述する第１の起爆信号７５によりバッテリ６４から起爆部７１の陽極への通電を制御するものである。この第１のスイッチ７２はバッテリ６４、起爆部７１の陽極および主制御部６７と導線で接続されている。
７３は第２のスイッチであり、トランジスタ等からなる回路であって、接地されたアース７４と起爆部７１の陰極の間に配置され、後述する第２の起爆信号７６により起爆部７１の陰極からアース７４への通電を制御するものである。この第２のスイッチ７３は起爆部７１の陰極、アース７４および主制御部６７と導線で接続されている。
【００２３】
７５は第１の起爆信号であり、主制御部６７から第１のスイッチ７２への制御用の出力信号である。この第１の起爆信号７５を主制御部６７でオンにすると第１のスイッチ７２はバッテリ６４から起爆部７１へ通電する。また、第１の起爆信号７５を主制御部６７でオフにすると第１のスイッチ７２はバッテリ６４から起爆部７１への通電を遮断する。ここで、オンとは正の論理信号を表し、例えば、０ボルトの電圧信号である。また、オフとは負の論理信号であり、例えば、プラス５ボルトの電圧信号である。
【００２４】
７６は第２の起爆信号であり、主制御部６７から第２のスイッチ７３への制御用の出力信号である。この第２の起爆信号７６を主制御部６７でオンにすると第２のスイッチ７３は起爆部７１からアース７４へ通電する。また、第２の起爆信号７６を主制御部６７でオフにすると第２のスイッチ７３は起爆部７１からアース７４への通電を遮断する。
したがって、主制御部６７が第１の起爆信号７５および第２の起爆信号７６をともにオンにするとバッテリ６４からの電圧が起爆部７１に印加されインクが噴射される。
【００２５】
上述した構成の作用について説明する。
なお、以下に説明する各部の動作は、図示しない記憶部に格納されたプログラム（ソフトウェア）に基づいて図示しない制御部により制御される。
まず、主制御部６７は第１の起爆信号７５および第２の起爆信号７６をオフにして第１のスイッチ７２および第２のスイッチ７３に対してオフの制御信号を出力しておく。
【００２６】
次に、主制御部６７は紙幣検知部６２で判断した紙幣の有無を常時監視し、紙幣が有る場合はインク噴射モード、紙幣がない場合はインク噴射抑止モードであることを図示しない記憶部に記憶する。
ここで、紙幣の有無を常時監視するとは、主制御部６７が周期的に紙幣検知部６２で判断した紙幣の有無の通知を監視することである。また、インク噴射モードとは破壊検知部６１が破壊検知センサ５５により紙幣収納カセット３２の破壊等を検知した場合インク噴射部５３により紙幣収納カセット３２内に存在する紙幣５２にインクを噴射するモードであり、インク噴射抑止モードとは破壊検知部６１が破壊検知センサ５５により紙幣収納カセット３２の破壊等を検知した場合であってもインク噴射部５３により紙幣収納カセット３２内に存在する紙幣５２にインクを噴射しないモードである。
【００２７】
なお、インク噴射モードとインク噴射抑止モードは排反事象であり、記憶部にインク噴射モードを記憶したときは記憶部からインク噴射抑止モードが消去され、また、記憶部にインク噴射抑止モードを記憶したときは記憶部からインク噴射モードが消去される。
次に、主制御部６７は破壊検知部６１も常時監視し、破壊検知部６１により紙幣収納カセット３２の破壊等を検知したか否かを確認する。この確認の結果、紙幣収納カセット３２の破壊等を検知した場合、主制御部６７は記憶部を読み出してインク噴射モードかインク噴射抑止モードであるか調べる。
【００２８】
調べた結果がインク噴射モードであれば主制御部６７は第１の起爆信号７５および第２の起爆信号７６をオンにして第１のスイッチ７２および第２のスイッチ７３に対してオンの制御信号を出力する。これにより、起爆部７１に電圧が印加され紙幣収納カセット３２内にある紙幣に向けインクが噴射される。
一方、調べた結果がインク噴射抑止モードであれば主制御部６７は第１の起爆信号７５および第２の起爆信号７６をオフのままにして第１のスイッチ７２および第２のスイッチ７３に対してオフの制御信号を出力しておくようにする。これにより、破壊検知部６１により紙幣収納カセット３２の破壊等を検知しても起爆部７１はインクを噴射しない。
【００２９】
以上説明したように、第１の実施例では、破壊検知部６１により紙幣収納カセット３２の破壊等を検知した場合、紙幣収納カセット３２内に紙幣が存在する場合だけにインクを噴射し、紙幣が存在しない場合はインクを噴射しないようにすることにより、紙幣が存在しないにもかかわらず制御基板等をインクで浸してしまうため紙幣収納カセットおよび自動取引装置を故障させてしまうことがなくなるという効果が得られる。また、インクを無駄にすることがなくなるという効果が得られる。
【００３０】
図８は本発明の第２の実施例を示すフローチャートである。
なお、上述した第１の実施例と同様の部分は、同一の符号を付してその説明を省略する。第２の実施例の構成は第１の実施例の構成と同様であるが、図５において、紙幣検知センサ５４は有ってもよくなくてもよい。
第２の実施例の作用について図８のフローチャートにしたがって説明する。なお、以下に説明する各部の動作は、図示しない記憶部に格納されたプログラム（ソフトウェア）に基づいて図示しない制御部により制御される。
【００３１】
Ｓ８０１：係員等が紙幣入手金部３１から取外した紙幣収納カセット３２に紙幣を装填する。このとき紙幣収納カセット３２の記憶部には噴射抑止モードが記憶されているとするが、噴射モードの場合は係員等が紙幣を装填する前にパーソナルコンピュータ等を紙幣収納カセット３２に接続して噴射抑止モードを記憶する指令を通知する。この通知を受けた紙幣収納カセット３２は記憶部に噴射抑止モードを記憶する。
【００３２】
記憶部に噴射抑止モードを記憶した紙幣収納カセット３２は破壊検知部６１が破壊検知センサ５５により紙幣収納カセット３２の破壊等を検知した場合であってもインク噴射部５３により紙幣収納カセット３２内に存在する紙幣５２にインクを噴射しない。
Ｓ８０２：係員等が紙幣入手金部３１から取外した紙幣収納カセット３２に紙幣を装填した後、紙幣収納カセット３２に接続したパーソナルコンピュータ等から噴射モードを記憶する指令を通知する。この通知を受けた紙幣収納カセット３２は記憶部に噴射モードを記憶する。
【００３３】
Ｓ８０３：紙幣収納カセット３２は運搬者等により自動取引装置１付近まで運搬される。このとき紙幣収納カセット３２は記憶部に噴射モードを記憶しているため、破壊検知部６１が破壊検知センサ５５により紙幣収納カセット３２の破壊等を検知した場合インク噴射部５３により紙幣収納カセット３２内に存在する紙幣５２にインクを噴射する。なお、運搬者等は紙幣収納カセット３２を運搬する業者であってもよく、係員等であってもよい。
【００３４】
Ｓ８０４：運搬者等が運搬した紙幣収納カセット３２を係員等が自動取引装置１の紙幣入出金部３１に装着する。
Ｓ８０５：紙幣入手金部３１はその装着を図示しないセンサ等で検知し噴射抑止モードを記憶する指令を通知する。この通知を受けた紙幣収納カセット３２は記憶部に噴射抑止モードを記憶する。
【００３５】
紙幣収納カセット３２が記憶部に噴射抑止モードを記憶した後は、破壊検知部６１が破壊検知センサ５５により紙幣収納カセット３２の破壊等を検知した場合であってもインク噴射部５３により紙幣収納カセット３２内に存在する紙幣５２にインクを噴射しない。
Ｓ８０６：係員等が紙幣収納カセット３２を自動取引装置１の紙幣入手金部３１から取外す場合は、まず、筐体扉２２を開ける。制御部３６は筐体扉２２が開けられたことをセンサで検出すると紙幣入手金部３１にその旨を通知する。その通知を受けた紙幣入手金部３１は紙幣収納カセット３２に噴射モードを記憶する指令を通知する。この通知を受けた紙幣収納カセット３２は記憶部に噴射モードを記憶する。この後、係員等は紙幣収納カセット３２を紙幣入手金部３１から取外す。なお、紙幣収納カセット３２に記憶部に噴射モードを記憶する動作が完了したことを係員に知らせるランプ等を設けてもよい。
【００３６】
Ｓ８０７：紙幣収納カセット３２は運搬者等により運搬されるが、紙幣入手金部３１から取外した紙幣収納カセット３２は記憶部に噴射モードを記憶しているため、破壊検知部６１が破壊検知センサ５５により紙幣収納カセット３２の破壊等を検知した場合インク噴射部５３により紙幣収納カセット３２内に存在する紙幣５２にインクを噴射する。
Ｓ８０８：運搬者等により運搬された紙幣収納カセット３２から係員等が紙幣を回収する場合は、紙幣収納カセット３２に接続したパーソナルコンピュータ等から噴射抑止モードを記憶する指令を通知する。この通知を受けた紙幣収納カセット３２は記憶部に噴射抑止モードを記憶する。
【００３７】
Ｓ８０９：係員等は紙幣収納カセット３２内にある紙幣を回収する。係員等による紙幣回収作業中は紙幣収納カセット３２が記憶部に噴射抑止モードを記憶しているため、破壊検知部６１が破壊検知センサ５５により紙幣収納カセット３２の破壊等を検知した場合であってもインク噴射部５３により紙幣収納カセット３２内に存在する紙幣５２にインクを噴射しない。
【００３８】
なお、係員操作表示盤２３にカセット取外しボタンを表示し、紙幣入出金部３１に装着された紙幣収納カセット３２を係員等が取外すとき、その取外す操作の前にこのボタンを押下するようにしてもよい。このカセット取外しボタンを押下することにより紙幣収納カセット３２が記憶部に記憶するインク噴射抑止モードをインク噴射モードに切り替えるようにする。
【００３９】
以上説明したように、第２の実施例では、銀行員や保守員等の係員が紙幣収納カセットに紙幣を装填または回収する作業中は破壊検知センサが衝撃等を検知してもインクを噴射することがなくなるという効果が得られる。
図９は本発明の第３の実施例を示すインク噴射部の説明図である。
なお、上述した第１の実施例と同様の部分は、同一の符号を付してその説明を省略する。
【００４０】
図９において、９１は第１の接点であり、紙幣収納カセット３２の表面に突出した端子等である。この第１の接点９１は第１のスイッチ７２と起爆部７１の陽極を結ぶ導線の少なくとも一点と導線で結線されているものである。
９２は第２の接点であり、紙幣収納カセット３２の表面に突出した端子等である。この第２の接点９２は第２のスイッチ７３と起爆部７１の陰極を結ぶ導線の少なくとも一点と導線で結線されているものである。
【００４１】
９３は第３の接点であり、紙幣入出金部３１の表面に突出した端子等である。この第３の接点９３は紙幣入出金部３１に備えたアース９５に導線で結線されている。
９４は第４の接点であり、紙幣入出金部３１の表面に突出した端子等である。この第４の接点９４は紙幣入出金部３１に備えたアース９５に導線で結線されている。
これらの第１の接点９１、第２の接点９２、第３の接点９３および第４の接点９４は紙幣収納カセット３２を紙幣入出金部３１に装着したとき、第１の接点９１と第３の接点９３、第２の接点９２と第４の接点９４がそれぞれ通電可能に接触するように構成されている。なお、第１の接点９１、第２の接点９２、第３の接点９３および第４の接点９４は突出した端子に限られるものでなく、紙幣収納カセット３２を紙幣入出金部３１に装着したとき第１の接点９１と第３の接点９３、第２の接点９２と第４の接点９４がそれぞれ通電可能に接触するものであれば凸形状の接点と凹形状の接点等の組み合わせであってもよい。
【００４２】
上述した構成の作用について説明する。
まず、紙幣収納カセット３２が紙幣入出金部３１に装着されている場合を説明する。
主制御部６７は破壊検知部６１も常時監視し、破壊検知部６１により紙幣収納カセット３２の破壊等を検知したか否かを確認する。この確認の結果、紙幣収納カセット３２の破壊等を検知した場合、主制御部６７は第１の起爆信号７５および第２の起爆信号７６をオンにして第１のスイッチ７２および第２のスイッチ７３に対してオンの制御信号を出力する。しかし、第１の接点９１と第３の接点９３、第２の接点９２と第４の接点９４がそれぞれ通電可能に接触するように構成されているため、バッテリ６４からの電流はアース９５に流れ、起爆部７１に電圧が印加されずインクは噴射されない。
【００４３】
次に、紙幣収納カセット３２が紙幣入出金部３１から取外された場合を説明する。
主制御部６７は破壊検知部６１も常時監視し、破壊検知部６１により紙幣収納カセット３２の破壊等を検知したか否かを確認する。この確認の結果、紙幣収納カセット３２の破壊等を検知した場合、主制御部６７は第１の起爆信号７５および第２の起爆信号７６をオンにして第１のスイッチ７２および第２のスイッチ７３に対してオンの制御信号を出力する。これにより、第１の接点９１と第３の接点９３、第２の接点９２と第４の接点９４がそれぞれ接触していないため、起爆部７１に電圧が印加され紙幣収納カセット３２内にある紙幣に向けインクは噴射される。
【００４４】
なお、バッテリ６４とアース９５を結ぶ導線上およびアース７４とアース９５を結ぶ導線上に第３のスイッチおよび第４のスイッチを設け紙幣入出金部３１に紙幣収納カセット３２を装着した場合であっても主制御部６７の起爆信号によりインクを噴射できるようにしてもよい。
以上説明したように、第３の実施例では、紙幣収納カセットを自動取引装置の紙幣入出金部に装着した場合は破壊検知センサが衝撃等を誤って検知したとき、また、水濡れ等により回路の動作異常が発生したときであってもインクを噴射することがないという効果が得られる。
【００４５】
図１０は本発明の第４の実施例を示す係員操作盤の説明図である。
なお、上述した第１の実施例および第２の実施例と同様の部分は、同一の符号を付してその説明を省略する。
図１０において、係員操作表示盤２３には自動取引装置１が取り扱うことができる取引、紙幣入出金部３１およびカードリーダプリンタ部３５等の機器の状態および係員等が操作する操作ボタン等を表示する。
【００４６】
８２は強制噴射モードボタンであり、係員操作表示盤２３に表示された係員等が操作する操作ボタンである。この強制噴射モードボタン８２を押下することにより、紙幣入出金部３１に装着された紙幣収納カセット３２の強制噴射モードと通常噴射モードを相互に切り替える。
ここで、強制噴射モードとは、上述した第１の実施例および第２の実施例で説明したインク噴射モードおよびインク噴射抑止モードにかかわらず破壊検知部６１が破壊検知センサ５５により紙幣収納カセット３２の破壊等を検知した場合インク噴射部５３により紙幣収納カセット３２内に存在する紙幣５２にインクを噴射するものである。また、通常噴射モードとは、上述した第１の実施例および第２の実施例で説明したインク噴射モードおよびインク噴射抑止モードにしたがって破壊検知部６１が破壊検知センサ５５により紙幣収納カセット３２の破壊等を検知した場合インク噴射部５３により紙幣収納カセット３２内に存在する紙幣５２にインクを噴射するものである。
【００４７】
８３は、状態表示部であり、自動取引装置１の全体および各部の状態を係員操作表示盤２３に表示する領域である。この状態表示部８３に紙幣収納カセット３２が強制噴射モードまたは通常噴射モードであるかを表示する。例えば、強制噴射モードであれば状態表示部８３に「強制噴射モード」、通常噴射モードであれば状態表示部８３に「通常噴射モード」と文言で表示する。
【００４８】
上述した構成の作用について説明する。
まず、紙幣収納カセット３２を自動取引装置１の紙幣入出金部３１に装着する。装着を検知した紙幣入手金部３１は紙幣収納カセット３２から通信回線等を介して強制噴射モードであるか通常噴射モードであるかの通知を受ける。その通知を受けた紙幣入手金部３１は制御部３６に強制噴射モードであるか通常噴射モードであるかを通知し、制御部３６は係員操作部３４にそれを表示する指令を通知する。その通知を受けた係員操作部３４は係員操作表示盤２３の状態表示部８３に「強制噴射モード」または「通常噴射モード」である旨を表示する。
【００４９】
次に、係員等が強制噴射モードボタン８２を押下すると係員操作表示部３４を介して制御部３６がそれを検知し、紙幣入出金部３１に強制噴射モードボタン８２が押下されたことを通知する。この通知を受けた紙幣入出金部３１は紙幣収納カセット３２に強制噴射モードと通常噴射モードの切り替え指令を通知する。
その通知を受けた紙幣収納カセット３２は記憶部を調べ、強制噴射モードであれば通常噴射モードに切り替え、通常噴射モードであれば強制噴射モードに切り替えて記憶部に記憶する。これにより紙幣収納カセット３２の強制噴射モードと通常噴射モードの切り替えが可能になる。
【００５０】
また、この切り替えが終了した後に制御部３６は紙幣入出金部３１を介して紙幣収納カセット３２が強制噴射モードであるか通常噴射モードであるかの通知を受け、それを状態表示部８３に表示する指令を係員操作部３４に通知する。これにより、状態表示部８３には紙幣収納カセットが強制噴射モードまたは通常噴射モードいずれかであるかを表示し、係員が確認することができる。
【００５１】
このようにして紙幣収納カセット３２に強制噴射モードまたは通常噴射モードを記憶部に記憶させることができる。
次に、主制御部６７は破壊検知部６１を常時監視し、破壊検知部６１により紙幣収納カセット３２の破壊等を検知したか否かを確認する。この確認の結果、紙幣収納カセット３２の破壊等を検知した場合、主制御部６７は記憶部を読み出して強制噴射モードか通常噴射モードであるか調べる。
【００５２】
調べた結果が強制噴射モードであれば主制御部６７は第１の起爆信号７５および第２の起爆信号７６をオンにして第１のスイッチ７２および第２のスイッチ７３に対してオンの制御信号を出力する。これにより、起爆部７１に電流が印加され紙幣収納カセット３２内にある紙幣に向けインクが噴射される。
一方、調べた結果が通常噴射モードであれば第１の実施例および第２の実施例で説明したとおり、紙幣検知センサ５４、インク噴射モードおよびインク噴射抑止モードにしたがって主制御部６７は第１の起爆信号７５および第２の起爆信号７６をオンにして第１のスイッチ７２および第２のスイッチ７３に対してオンの制御信号を出力する。これにより、起爆部７１に電圧が印加され紙幣収納カセット３２内にある紙幣に向けインクが噴射される。
【００５３】
以上説明したように、第４の実施例では、強制噴射モードおよび通常噴射モードを係員等により容易に選択できるという効果が得られる。
【図面の簡単な説明】
【００５４】
【図１】第１の実施例を示す自動取引装置の外観斜視図
【図２】第１の実施例を示す自動取引装置の外観背面図
【図３】第１の実施例を示す自動取引装置のブロック図
【図４】第１の実施例を示す紙幣入出金部の側面図
【図５】第１の実施例を示す紙幣収納カセットの内部の説明図
【図６】第１の実施例を示す紙幣収納カセットのブロック図
【図７】第１の実施例を示すインク噴射部のブロック図
【図８】第２の実施例を示す係員操作盤の説明図
【図９】第３の実施例を示すインク噴射部のブロック図
【図１０】第４の実施例を示す係員操作盤の説明図
【符号の説明】
【００５５】
１    自動取引装置
２    紙幣入出金口
３    顧客操作表示盤
４    カード挿入排出口
５    通帳挿入排出口
２１  筐体
２２  筐体扉
２３  係員操作表示盤
３１  紙幣入出金部
３２  紙幣収納カセット
３３  顧客操作表示部
３４  係員操作部
３５  カードリーダプリンタ部
３６  制御部
３７  通信回線
４１  鑑別部
４２  紙幣搬送路
５１  ステージ
５２  紙幣
５３  インク噴射部
５４  紙幣検知センサ
５５  破壊検知センサ
６１  破壊検知部
６２  紙幣検知部
６４  バッテリ
６５  通信制御部
６６  通信回線
６７  主制御部
７１  起爆部
７２、７３  スイッチ
７４、９５  アース
７５、７６  起爆信号
８１  カセット取外しボタン
９１、９２、９３、９４  接点
【図１】
2006099314.tif 000003
【図２】
2006099314.tif 000004
【図３】
2006099314.tif 000005
【図４】
2006099314.tif 000006
【図５】
2006099314.tif 000007
【図６】
2006099314.tif 000008
【図７】
2006099314.tif 000009
【図８】
2006099314.tif 000010
【図９】
2006099314.tif 000011
【図１０】
2006099314.tif 000012